(57)【要約】【課題】簡単な構成で、製品ごとの配光特性のばらつきを低減することができる照明用光源を提供する。【解決手段】複数のＬＥＤモジュール１０と、複数のＬＥＤモジュール１０を保持する長尺板状の保持体２０と、複数のＬＥＤモジュール１０が内部に配置された長尺円筒状の筐体３０と、筐体３０の長手方向の両端部に設けられた第１口金４０及び第２口金５０とを備え、複数のＬＥＤモジュール１０は、保持体２０の長手方向に沿って一列で配置されており、保持体２０の長さは、筐体３０の長さよりも長く、第１口金４０は、筐体３０からはみ出した保持体２０の長手方向の一方の端部２０ａが差し込まれる第１差し込み部４３を有し、前記筐体３０からはみ出した保持体２０の長手方向の一方の端部２０ａは、第１差し込み部４３において第１口金４０と樹脂接着剤６１により接着されている。【選択図】図４
2015153726.tif 000002
【特許請求の範囲】
【請求項１】
複数の発光モジュールと、
前記複数の発光モジュールを保持する長尺板状の保持体と、
前記複数の発光モジュールが内部に配置された長尺円筒状の筐体と、
前記筐体の長手方向の両端部に設けられた一対の口金とを備え、
前記複数の発光モジュールは、前記保持体の長手方向に沿って一列で配置されており、
前記保持体の長さは、前記筐体の長さよりも長く、
前記一対の口金の少なくとも一方は、前記筐体からはみ出した前記保持体の長手方向の一方の端部が差し込まれる第１差し込み部を有し、
前記筐体からはみ出した前記保持体の長手方向の前記一方の端部は、前記第１差し込み部において前記一方の口金と樹脂接着剤により接着されている
照明用光源。
【請求項２】
前記第１差し込み部は、前記一方の端部の幅方向において当該一方の端部を挟むように形成された一対の平面を有する
請求項１に記載の照明用光源。
【請求項３】
前記第１差し込み部は、さらに、前記一方の端部の板面垂直方向において当該一方の端部を挟むように形成された一対の平面を有する
請求項２に記載の照明用光源。
【請求項４】
前記保持体は、当該保持体の長手方向の他方の端部も前記筐体からはみ出しており、
前記一対の口金の他方は、はみ出した前記保持体の長手方向の他方の端部が差し込まれる第２差し込み部を有し、
はみ出した前記保持体の長手方向の他方の端部は、前記第２差し込み部において前記他方の口金と樹脂接着剤により接着されている
請求項１〜３のいずれか１項に記載の照明用光源。
【請求項５】
前記複数の発光モジュールは、樹脂接着剤によって前記保持体の一方の面に接着されることで保持されている
請求項１〜４のいずれか１項に記載の照明用光源。
【請求項６】
前記保持体の他方の面は、樹脂接着剤によって前記筐体の内面に接着されている
請求項５に記載の照明用光源。
【請求項７】
前記保持体は、樹脂製である
請求項１〜６のいずれか１項に記載の照明用光源。
【請求項８】
前記保持体は、金属製である
請求項１〜６のいずれか１項に記載の照明用光源。
【請求項９】
前記複数の発光モジュールの各々は、
前記保持体に配置される基板と、
前記基板上に一列で実装された複数の発光素子と、
前記複数の発光素子を一括して封止する直線状の封止部材とを備える
請求項１〜８のいずれか１項に記載の照明用光源。
【請求項１０】
前記封止部材は、樹脂と、当該樹脂に含まれる蛍光体とを有する
請求項９に記載の照明用光源。
【請求項１１】
請求項１〜１０のいずれか１項に記載の照明用光源を備える照明装置。
【発明の詳細な説明】
【技術分野】
【０００１】
本発明は、照明用光源及び照明装置に関し、例えば、発光ダイオード（ＬＥＤ：Ｌｉｇｈｔ  Ｅｍｉｔｔｉｎｇ  Ｄｉｏｄｅ）などの発光素子を有する照明用光源及び照明装置に関する。
【背景技術】
【０００２】
ＬＥＤは、高効率及び長寿命であることから、従来から知られる蛍光ランプ又は白熱電球などの各種ランプに対する代替光源として期待されている。中でも、ＬＥＤを用いたランプ（ＬＥＤランプ）の製品開発が盛んに進められている。
【０００３】
この種のＬＥＤランプとして、例えば、直管形蛍光ランプに代替する直管形のＬＥＤランプ（直管ＬＥＤランプ）が知られている（特許文献１参照）。
【０００４】
このような直管ＬＥＤランプは、長尺円筒状の外郭筐体と、外郭筐体の長手方向の両端部に設けられた口金と、外郭筐体内に配置されたＬＥＤモジュールとを備える。
【０００５】
ＬＥＤモジュールは、例えば、基板と、基板上に一列で実装された複数のＬＥＤチップと、複数のＬＥＤチップを一括して封止するように直線状に形成された蛍光体含有樹脂とを備える。
【先行技術文献】
【特許文献】
【０００６】
【特許文献１】特開２００９−０４３４４７号公報
【発明の概要】
【発明が解決しようとする課題】
【０００７】
しかしながら、上記従来の直管ＬＥＤランプでは、口金に対するＬＥＤモジュール（基板）の位置決めが難しく、製品ごとに配光特性がばらつくという課題がある。特に、複数のＬＥＤモジュールを用いる場合には、全てのＬＥＤモジュールが同じ配光特性となるように筐体内に配置することは難しい。
【０００８】
本発明は、上記課題を解決するためになされたものであって、簡単な構成で、製品ごとの配光特性のばらつきを低減することができる照明用光源及び照明装置を提供することを目的とする。
【課題を解決するための手段】
【０００９】
上記目的を達成するために、本発明に係る照明用光源の一態様は、複数の発光モジュールと、前記複数の発光モジュールを保持する長尺板状の保持体と、前記複数の発光モジュールが内部に配置された長尺円筒状の筐体と、前記筐体の長手方向の両端部に設けられた一対の口金とを備え、前記複数の発光モジュールは、前記保持体の長手方向に沿って一列で配置されており、前記保持体の長さは、前記筐体の長さよりも長く、前記一対の口金の少なくとも一方は、前記筐体からはみ出した前記保持体の長手方向の一方の端部が差し込まれる第１差し込み部を有し、前記筐体からはみ出した前記保持体の長手方向の前記一方の端部は、前記第１差し込み部において前記一方の口金と樹脂接着剤により接着されていることを特徴とする。
【００１０】
また、本発明に係る照明用光源の一態様において、前記第１差し込み部は、前記一方の端部の幅方向において当該一方の端部を挟むように形成された一対の平面を有していてもよい。
【００１１】
また、本発明に係る照明用光源の一態様において、前記第１差し込み部は、さらに、前記一方の端部の板面垂直方向において当該一方の端部を挟むように形成された一対の平面を有していてもよい。
【００１２】
また、本発明に係る照明用光源の一態様において、前記保持体は、当該保持体の長手方向の他方の端部も前記筐体からはみ出しており、前記一対の口金の他方は、はみ出した前記保持体の長手方向の他方の端部が差し込まれる第２差し込み部を有し、はみ出した前記保持体の長手方向の他方の端部は、前記第２差し込み部において前記他方の口金と樹脂接着剤により接着されていてもよい。
【００１３】
また、本発明に係る照明用光源の一態様において、前記複数の発光モジュールは、樹脂接着剤によって前記保持体の一方の面に接着されることで保持されていてもよい。
【００１４】
また、本発明に係る照明用光源の一態様において、前記保持体の他方の面は、樹脂接着剤によって前記筐体の内面に接着されていてもよい。
【００１５】
また、本発明に係る照明用光源の一態様において、前記保持体は樹脂製であってもよい。
【００１６】
あるいは、本発明に係る照明用光源の一態様において、前記保持体は金属製であってもよい。
【００１７】
また、本発明に係る照明用光源の一態様において、前記複数の発光モジュールの各々は、前記保持体に配置される基板と、前記基板上に一列で実装された複数の発光素子と、前記複数の発光素子を一括して封止する直線状の封止部材とを備えていてもよい。
【００１８】
この場合、前記封止部材は、樹脂と、当該樹脂に含まれる蛍光体とを有していてもよい。
【００１９】
また、本発明に係る照明装置の一態様は、上記いずれかに記載の照明用光源の一態様を備えることを特徴とする。
【発明の効果】
【００２０】
本発明によれば、簡単な構成で、口金に対する発光モジュールの位置決めを容易に行うことができるので、製品ごとの配光特性のばらつきを容易に低減することができる。
【図面の簡単な説明】
【００２１】
【図１】本発明の実施の形態に係る直管ＬＥＤランプの外観斜視図である。
【図２】本発明の実施の形態に係る直管ＬＥＤランプの分解斜視図である。
【図３】本発明の実施の形態に係る直管ＬＥＤランプにおけるＬＥＤモジュールの斜視図である。
【図４】本発明の実施の形態に係る直管ＬＥＤランプの管軸を通るＹＺ断面図である。
【図５】本発明の実施の形態に係る直管ＬＥＤランプの管軸を通るＸＹ断面図である。
【図６】本発明の実施の形態に係る直管ＬＥＤランプのＸＺ断面図である。
【図７】本発明の実施の形態に係る照明装置の外観斜視図である。
【発明を実施するための形態】
【００２２】
以下、本発明の実施の形態について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００２３】
なお、各図は、模式図であり、必ずしも厳密に図示されたものではない。また、各図において、実質的に同一の材料や部材に対しては同一の符号を付しており、重複する説明は省略又は簡略化する。
【００２４】
以下の実施の形態では、照明用光源の一態様である直管ＬＥＤランプ、及び、当該直管ＬＥＤランプを備える照明装置について例示する。また、本実施の形態において、直管形ＬＥＤランプの管軸方向（長手方向）をＹ軸方向とし、Ｙ軸と直交する一の方向（短手方向）をＸ軸方向とし、Ｘ軸及びＹ軸に直交する方向をＺ軸方向とする。
【００２５】
［直管形ＬＥＤランプの全体構成］
まず、本発明の実施の形態に係る直管ＬＥＤランプ１の構成について、図１及び図２を用いて説明する。図１は、本発明の実施の形態に係る直管ＬＥＤランプ１の外観斜視図である。図２は、本発明の実施の形態に係る直管ＬＥＤランプ１の分解斜視図である。
【００２６】
本実施の形態に係る直管ＬＥＤランプ１は、従来の直管形蛍光灯に代替する直管形のＬＥＤランプであって、図１及び図２に示すように、複数のＬＥＤモジュール１０と、複数のＬＥＤモジュール１０を保持するための長尺板状の保持体２０と、保持体２０及びＬＥＤモジュール１０が内部に配置された長尺円筒状の筐体３０と、筐体３０の長手方向の両端部に設けられた一対の口金（第１口金４０及び第２口金５０）とを備える。
【００２７】
後述するように、直管ＬＥＤランプ１は、さらに、保持体２０と第１口金４０とを接着固定する樹脂接着剤６１と、保持体２０と第２口金５０とを接着固定する樹脂接着剤６２と、保持体２０と筐体３０とを接着固定する樹脂接着剤６３とを備える。
【００２８】
また、図２に示すように、直管ＬＥＤランプ１は、さらに、ＬＥＤモジュール１０を点灯させるための点灯回路７０と、コネクタ線８０とを備える。
【００２９】
本実施の形態における直管ＬＥＤランプ１では、ＬＥＤモジュール１０が第１口金４０のみから給電を受ける片側給電方式が採用されている。また、本実施の形態における直管ＬＥＤランプ１は、例えば、全長が直管４０形蛍光灯と同じである４０形の直管形のＬＥＤランプである。
【００３０】
以下、直管ＬＥＤランプ１の各構成部材について、図１及び図２を参照しながら、図３〜図６を用いて詳述する。図３は、本発明の実施の形態に係る直管ＬＥＤランプ１におけるＬＥＤモジュール１０の斜視図である。図４は、本発明の実施の形態に係る直管ＬＥＤランプ１の管軸を通るＹＺ断面図であり、図５は、同直管ＬＥＤランプ１のＸＹ断面図、図６は、同直管ＬＥＤランプ１のＸＺ断面図である。
【００３１】
［ＬＥＤモジュール］
ＬＥＤモジュール１０は、直管ＬＥＤランプ１の光源であり、保持体２０に保持された状態で筐体３０の内部に配置される。ＬＥＤモジュール１０は、直管ＬＥＤランプにおける光源であり、照明光として、白色などの所定の色（波長）の光を放出する。本実施の形態におけるＬＥＤモジュール１０は、青色ＬＥＤチップと黄色蛍光体とによって白色光を放出するＢ−Ｙタイプの白色ＬＥＤ光源である。
【００３２】
図２に示すように、ＬＥＤモジュール１０は、長尺状であり、筐体３０の管軸方向に沿って複数枚配置される。複数のＬＥＤモジュール１０は、それらの長手方向が筐体３０の長手方向となるように隣接して並べられる。なお、本実施の形態では、４つのＬＥＤモジュール１０（４つの基板１１）を用いている。
【００３３】
図３に示すように、ＬＥＤモジュール１０は、ＬＥＤチップが基板上に直接実装されたＣＯＢ（Ｃｈｉｐ  Ｏｎ  Ｂｏａｒｄ）構造の発光モジュールであって、基板１１と、複数のＬＥＤ（ベアチップ）１２と、ＬＥＤ１２を封止する封止部材１３と、ＬＥＤモジュールの外部からＬＥＤ１２を発光させるための電力の供給を受ける一対の接続端子１４とを備える。
【００３４】
基板１１は、ＬＥＤ１２を実装するための実装基板である。本実施の形態では、基板１１として、筐体３０の管軸方向に長尺状をなす矩形基板を用いている。基板１１は、ＬＥＤ１２が実装される面が第１主面（表面）であり、当該第１主面とは反対側の面が第２主面（裏面）である。ＬＥＤモジュール１０は、基板１１の第２主面を保持体２０に向けて保持体２０に載置される。
【００３５】
基板１１としては、アルミナや窒化アルミニウム等からなるセラミックス基板、樹脂をベースとする樹脂基板、アルミニウム合金などの金属をベースとするメタルベース基板、又は、ガラスからなるガラス基板等を用いることができる。樹脂基板としては、例えば、ガラス繊維とエポキシ樹脂とからなるガラスエポキシ基板（ＣＥＭ−３、ＦＲ−４等）、紙フェノールや紙エポキシからなる基板、又は、ポリイミド等からなる可撓性を有するフレキシブル基板を用いることができる。メタルベース基板としては、例えば、アルミニウム合金基板、鉄合金基板又は銅合金基板等を用いることができる。
【００３６】
ＬＥＤ１２は、発光素子の一例であって、所定の電力により発光する半導体発光素子である。ＬＥＤ１２は、筐体３０に覆われる形で基板１１に配置される。図３に示すように、基板１１には、複数のＬＥＤ１２が基板１１の長手方向に沿って基板１１上に一列で実装されている。
【００３７】
各ＬＥＤ１２は、単色の可視光を発するベアチップであり、例えば通電されると青色光を発光する青色ＬＥＤチップである。青色ＬＥＤチップとしては、例えばＩｎＧａＮ系の材料によって構成された、中心波長が４４０ｎｍ〜４７０ｎｍの窒化ガリウム系の半導体発光素子を用いることができる。
【００３８】
なお、各ＬＥＤ１２は、基板１１上にパターン形成されたＣｕ等の金属配線（不図示）又は金ワイヤ（不図示）等によって、直列接続、並列接続、又は直列接続と並列接続との組み合わせ接続となるように構成されている。
【００３９】
封止部材１３は、シリコーン樹脂等の透光性の絶縁性樹脂材料を用いることができる。本実施の形態における封止部材１３は、樹脂と当該樹脂に含まれる蛍光体（波長変換材）とからなる蛍光体含有樹脂である。つまり、封止部材１３は、ＬＥＤ１２からの光を所定の波長に波長変換（色変換）する波長変換部材であるとともに、ＬＥＤ１２を樹脂封止してＬＥＤ１２を保護する保護部材である。本実施の形態において、封止部材１３は、波長変換材として蛍光体粒子（蛍光体）を含有している。蛍光体粒子は、ＬＥＤ１２が発する光によって励起されて所望の色（波長）の光を蛍光発光する。
【００４０】
また、封止部材１３は、一列配置された複数のＬＥＤ１２を一括して封止するように直線状に形成されている。本実施の形態では、１枚の基板１１上の全てのＬＥＤ１２を一括封止している。封止部材１３は、ＬＥＤ１２を個々に封止してもよいが、本実施の形態のように、複数のＬＥＤ１２を一括して封止することによって、隣り合うＬＥＤ１２間の封止部材１３からも白色光を放出させることができる。これにより、ＬＥＤ１２の上方のみの輝度が高くなることを抑制することができ、輝点（光のつぶつぶ感）を低減することができる。
【００４１】
封止部材１３としては、例えばＬＥＤ１２が青色ＬＥＤチップである場合、白色光を得るために、ＹＡＧ（イットリウム・アルミニウム・ガーネット）系の黄色蛍光体粒子をシリコーン樹脂等の樹脂材料に分散させた蛍光体含有樹脂を用いることができる。これにより、黄色蛍光体粒子は青色ＬＥＤチップの青色光によって励起されて黄色光を放出するので、封止部材１３からは、励起された黄色光と青色ＬＥＤチップの青色光との合成光として白色光が放出される。
【００４２】
本実施の形態において、封止部材１３は、シリコーン樹脂に所定の蛍光体粒子を分散させた蛍光体含有樹脂としており、ディスペンサーによって基板１１の表面に塗布して形成することができる。なお、封止部材１３には、さらにシリカ等の光拡散材を含有させても構わない。また、演色性を高めるために、封止部材１３には、必要に応じて、赤色蛍光体粒子や緑色蛍光体粒子等、黄色光以外の光を蛍光発光する蛍光体粒子を含有させても構わない。
【００４３】
一対の接続端子１４は、ＬＥＤ１２を発光させるための直流電力を受電する外部接続端子（コネクタ）であり、ＬＥＤ１２と電気的に接続されている。一対の接続端子１４は、基板１１の上の所定の箇所に設けられている。本実施の形態において、一対の接続端子１４は、いずれも基板１１の長手方向の両端部における基板１１の長辺近傍に設けられている。
【００４４】
また、本実施の形態における接続端子１４は、ソケット型に構成されており、樹脂製のソケットと、直流電力を受電するための導電ピンとを有する。当該導電ピンは、基板１１上に形成された金属配線と電気的に接続されている。なお、接続端子１４（ソケット）にコネクタ線８０の装着部８１が装着されることにより、接続端子１４はコネクタ線８０から電力の供給を受けることができる状態となる。なお、接続端子１４としては、樹脂ソケットではなく、矩形状にパターン形成された金属電極とすることもできる。
【００４５】
なお、図示しないが、ＬＥＤモジュール１０の光取り出し効率を向上させるために、基板１１の表面に白色塗料（白レジスト）を塗装してもよい。白レジストは、高光反射性を有するので、ＬＥＤモジュール１０の光取り出し効率を向上させることができる。また、白レジストは絶縁性を有するので、レジストを形成することによって基板１１の絶縁耐圧を向上させることができるとともに、金属配線の酸化を抑制することができる。
【００４６】
［保持体］
保持体２０は、ＬＥＤモジュール１０を保持するための保持部材である。保持体２０は、１枚の長尺状の板材であり、例えば、アルミニウム合金等からなる金属製の金属板又は樹脂製の樹脂板である。
【００４７】
図４〜図６に示すように、複数のＬＥＤモジュール１０は、保持体２０の一方の面に配置される。具体的には、４つのＬＥＤモジュール１０は、隣り合うＬＥＤモジュール１０が近接するようにして保持体２０の長手方向に沿って一列に並べられて、保持体２０の一方の面にシリコーン樹脂等の樹脂接着剤（不図示）によって接着されている。つまり、本実施の形態では、ＬＥＤモジュール１０は樹脂接着剤によって保持体２０の一方の面に保持されている。なお、ＬＥＤモジュール１０の保持方法は接着に限るものではなく、ネジやクリップ等の固定手段を用いたり保持体２０の一部をかしめたりする等、その他の方法によってＬＥＤモジュール１０を保持体２０に保持させてもよい。
【００４８】
また、本実施の形態において、保持体２０の他方の面は、筐体３０の内面と樹脂接着剤６３によって接着されている。
【００４９】
保持体２０の長さ（長手方向の長さ）は、筐体３０の長さ（長手方向の長さ）よりも長い。したがって、保持体２０を筐体３０内に配置したときに、少なくとも保持体２０の長手方向の両端部のうちの一方が筐体３０の開口からはみ出した状態となる。本実施の形態では、図４に示すように、保持体２０の長手方向の両端部が筐体３０からはみ出している。つまり、保持体２０の長手方向の一方の端部（第１口金側端部）２０ａが筐体３０の長手方向の一方の端部３０ａの開口からはみ出しているとともに、保持体２０の長手方向の他方の端部（第２口金側端部）２０ｂが筐体３０の長手方向の他方の端部３０ｂの開口からはみ出している。
【００５０】
筐体３０からはみ出した保持体２０の長手方向の一方の端部２０ａは、第１口金４０の第１差し込み部４３に差し込まれており、当該第１差し込み部４３において樹脂接着剤６１により第１口金４０（口金本体４１）と接着されている。また、はみ出した保持体２０の長手方向の他方の端部２０ｂは、第２口金５０の第２差し込み部５３に差し込まれており、当該第２差し込み部５３において樹脂接着剤６２により第２口金５０（口金本体５１）と接着されている。
【００５１】
なお、保持体２０は、ヒートシンクとしても機能するように、金属材料又は熱伝導率の高い樹脂材料によって構成するとよい。これにより、ＬＥＤモジュール１０で発生した熱を保持体２０を介して効率良く筐体３０へと伝導させることができる。
【００５２】
［筐体］
筐体３０は、長尺円筒状の透光性カバーであり、図２に示すように、本実施の形態では、両端部に開口を有する直管である。また、図１に示すように、筐体３０は、直管ＬＥＤランプ１の外郭をなす外郭部材である。
【００５３】
図４〜図６に示すように、筐体３０の内部には、保持体２０と、保持体２０に保持された複数のＬＥＤモジュール１０とが配置される。筐体３０の長手方向の一方の端部（第１口金側端部）３０ａには第１口金４０が取り付けられており、筐体３０の長手方向の他方の端部（第２口金側端部）３０ｂには第２口金５０が取り付けられている。なお、筐体３０と第１口金４０又は第２口金５０とは、シリコーン樹脂等の樹脂接着剤によって接着固定されていてもよい。
【００５４】
筐体３０は、透光性材料によって構成することができ、例えば、可視光に対して透明なガラス製又は透明樹脂製の直管とすることができる。より具体的には、筐体３０として、シリカ（ＳｉＯ２）が７０〜７２［％］のソーダ石灰ガラスによって構成されたガラス管（ガラスバルブ）、あるいは、ポリカーボネート（ＰＣ）又はアクリル（ＰＭＭＡ）等の透明樹脂材料からなるプラスチック管を用いることができる。本実施の形態では、筐体３０として、直管４０形蛍光灯に用いられるものと同じガラス管（全長が約１１６７ｍｍ）を用いている。
【００５５】
なお、ＬＥＤモジュール１０からの光を拡散させるために、筐体３０は光拡散機能を有してもよい。例えば、シリカや炭酸カルシウムなどの光拡散材（微粒子）を含有する樹脂、又は、白色顔料を筐体３０の内面又は外面に付着させることで、乳白色の光拡散膜を形成すればよい。また、筐体３０の内部又は外部にレンズ構造物を設けたり、筐体３０の内面又は外面に凹部又は凸部のドットパターンを形成したりすることでも光拡散機能を持たせることができる。あるいは、筐体３０そのものを光拡散材が分散された樹脂材料等を用いて成形してもよい。
【００５６】
［第１口金］
第１口金４０は、ＬＥＤモジュール１０に電力を供給するための給電用口金である。第１口金４０は、ＬＥＤモジュール１０（ＬＥＤ１２）を点灯させるための電力をランプ外部から受ける。また、第１口金４０は、例えば照明器具のソケットに係止され、直管ＬＥＤランプ１を支持するように構成されている。
【００５７】
第１口金４０は、筐体３０の長手方向の一方の端部３０ａに設けられる。例えば、第１口金４０は、筐体３０の長手方向の一方の端部３０ａに蓋をするようにキャップ状に構成されている。図４及び図５に示すように、本実施の形態における第１口金４０は、口金本体４１と、給電ピン４２とからなる。
【００５８】
口金本体４１は、開口及び底面を有する略有底円筒形状であり、例えば、ポリブチレンテレフタレート（ＰＢＴ）などの樹脂材料によって構成される。
【００５９】
給電ピン４２は、口金ピンの一例であり、口金本体４１に設けられる。給電ピン４２は、口金本体４１の底部から外方に向かって突出するように取り付けられている。給電ピン４２は、ＬＥＤモジュール１０を発光させるための電力を照明器具等の外部機器（電源回路）から受ける一対の導電ピンであり、例えば真ちゅう等の金属材料によって構成される。本実施の形態において、給電ピン４２には、直流電力が受電される。
【００６０】
また、第１口金４０（口金本体４１）は、筐体３０からはみ出した保持体２０の長手方向の一方の端部２０ａが差し込まれる第１差し込み部（差し込み口）４３を有する。
【００６１】
図４及び図５に示すように、本実施の形態における第１口金４０の第１差し込み部４３は、管軸方向（Ｙ軸方向）の外方に窪んだ凹状の溝である。
【００６２】
具体的には、図５に示すように、第１差し込み部４３は、筐体３０からはみ出した保持体２０の一方の端部２０ａの幅方向において当該一方の端部２０ａを挟むように形成された一対の平面４３ａを有する。これにより、筐体３０からはみ出した保持体２０の一方の端部２０ａを第１差し込み部４３に差し込んだ際に、当該保持体２０の一方の端部２０ａにおける幅方向の動きを規制することができる。
【００６３】
なお、図５に示すように、第１差し込み部４３の入口部分の端部形状がテーパ状になっている。これにより、テーパ状の部分がガイド面として機能するので、保持体２０の一方の端部２０ａを第１差し込み部４３に挿入する際に、当該保持体２０の一方の端部２０ａを第１差し込み部４３へとガイドすることができる。
【００６４】
さらに、図４に示すように、第１差し込み部４３は、筐体３０からはみ出した保持体２０の一方の端部２０ａの板面垂直方向において当該一方の端部２０ａを挟むように形成された一対の平面４３ｂを有する。つまり、第１差し込み部４３の一対の平面４３ｂは、保持体２０の厚み方向（板厚方向）を挟むように構成されている。これにより、筐体３０からはみ出した保持体２０の一方の端部２０ａを第１差し込み部４３に差し込んだ際に、幅方向の動きを規制するだけではなく、当該保持体２０の一方の端部２０ａにおける板面垂直方向の動きも規制することができる。
【００６５】
また、筐体３０からはみ出した保持体２０の一方の端部２０ａは、第１差し込み部４３の底部に当接していてもよい。これにより、筐体３０からはみ出した保持体２０の一方の端部２０ａのＹ軸方向の動きが規制されるので、保持体２０のＹ軸方向の位置決めを行うことができる。
【００６６】
第１差し込み部４３に差し込まれた保持体２０の一方の端部２０ａは、第１差し込み部４３内において樹脂接着剤６１によって口金本体４１と接着固定される。
【００６７】
このように構成される第１口金４０は、例えば、給電ピン４２と樹脂材料とを用いたインサート成形によって作製することができる。なお、樹脂成形体である口金本体４１に給電ピン４２を圧入することによって第１口金４０を作製することもできる。
【００６８】
なお、本実施の形態に係る第１口金４０は、ＪＩＳ  Ｃ  ７７０９−１に準拠した直管ＬＥＤランプにおけるＧＸ１６ｔ−５口金（Ｌ形ピン口金）であるので、給電ピン４２は、Ｌ字形である。
【００６９】
［第２口金］
第２口金５０は、非給電口金であり、直管ＬＥＤランプ１を照明器具に取り付ける機能を有する。第２口金５０は、例えば照明器具のソケットに係止され、直管ＬＥＤランプ１を支持するように構成されている。
【００７０】
第２口金５０は、筐体３０の長手方向の他方の端部３０ｂに設けられる。例えば、第２口金５０は、筐体３０の長手方向の他方の端部３０ｂに蓋をするようにキャップ状に構成されている。図４及び図５に示すように、本実施の形態における第２口金５０は、口金本体５１と、非給電ピン５２とからなる。
【００７１】
口金本体５１は、開口及び底面を有する略有底円筒形状であり、例えば、ポリブチレンテレフタレート（ＰＢＴ）などの樹脂材料によって構成される。
【００７２】
非給電ピン５２は、口金ピンの一例であり、口金本体５１に設けられる。非給電ピン５２は、口金本体４１の底部から外方に向かって突出するように取り付けられている。非給電ピン５２は、直管ＬＥＤランプ１を照明器具に取り付けるための取り付けピンであり、例えば真ちゅう等の金属材料によって構成される。なお、非給電ピン５２は、断面Ｔ字状の１本の導電ピンである。
【００７３】
また、第２口金５０（口金本体５１）は、筐体３０からはみ出した保持体２０の長手方向の他方の端部２０ｂが差し込まれる第２差し込み部（差し込み口）５３を有する。
【００７４】
図４及び図５に示すように、本実施の形態における第２口金５０の第２差し込み部５３は、管軸方向（Ｙ軸方向）の外方に窪んだ凹状の溝である。
【００７５】
具体的には、図５に示すように、第２差し込み部５３は、筐体３０からはみ出した保持体２０の他方の端部２０ｂの幅方向において当該他方の端部２０ｂを挟むように形成された一対の平面５３ａを有する。これにより、筐体３０からはみ出した保持体２０の他方の端部２０ｂを第２差し込み部５３に差し込んだ際に、当該保持体２０の他方の端部２０ｂにおける幅方向の動きを規制することができる。
【００７６】
なお、図５に示すように、第１差し込み部４３と同様に、第２差し込み部５３の入口部分の端部形状についてもテーパ状になっている。これにより、テーパ状の部分がガイド面として機能するので、保持体２０の他方の端部２０ｂを第２差し込み部５３に挿入する際に、当該保持体２０の他方の端部２０ｂを第２差し込み部５３へとガイドすることができる。
【００７７】
さらに、図４に示すように、第２差し込み部５３は、筐体３０からはみ出した保持体２０の他方の端部２０ｂの板面垂直方向において当該他方の端部２０ｂを挟むように形成された一対の平面５３ｂを有する。つまり、第２差し込み部５３の一対の平面５３ｂは、保持体２０の厚み方向（板厚方向）を挟むように構成されている。これにより、筐体３０からはみ出した保持体２０の他方の端部２０ｂを第２差し込み部５３に差し込んだ際に、幅方向の動きを規制するだけではなく、当該保持体２０の他方の端部２０ｂにおける板面垂直方向の動きも規制することができる。
【００７８】
また、筐体３０からはみ出した保持体２０の他方の端部２０ｂは、第２差し込み部５３の底部に当接していてもよい。これにより、筐体３０からはみ出した保持体２０の他方の端部２０ｂのＹ軸方向の動きが規制されるので、保持体２０のＹ軸方向の位置決めを行うことができる。
【００７９】
第２差し込み部５３に差し込まれた保持体２０の他方の端部２０ｂは、第２差し込み部５３内において樹脂接着剤６２によって口金本体５１と接着固定される。
【００８０】
このように構成される第２口金５０は、例えば、非給電ピン５２と樹脂材料とを用いたインサート成形によって作製することができる。なお、樹脂成形体である口金本体５１に非給電ピン５２を圧入することによって第２口金５０を作製することもできる。
【００８１】
なお、第２口金５０にアース機能を持たせて、第２口金５０をアース用口金として用いても構わない。この場合、非給電ピン５２は、照明器具を介して接地されたアースピンとして機能し、金属製の保持体２０とアース接続される。これにより、保持体２０は、非給電ピン５２を介して接地される。
【００８２】
［樹脂接着剤］
図４及び図５に示すように、樹脂接着剤６１は、第１口金４０の第１差し込み部４３内において、筐体３０からはみ出した保持体２０の長手方向の一方の端部２０ａと口金本体４１とを接着固定している。保持体２０と口金本体４１とを接着固定する際、第１差し込み部４３内に樹脂接着剤６１を塗布し、その後、保持体２０の長手方向の一方の端部２０ａを第１差し込み部４３に挿入する。
【００８３】
なお、樹脂接着剤６１は、第１差し込み部４３内だけではなく、第１差し込み部４３からはみ出すように形成してもよい。例えば、口金本体４１内を埋めるように樹脂接着剤６１を形成してもよい。
【００８４】
また、樹脂接着剤６２は、第２口金５０の第２差し込み部５３内において、筐体３０からはみ出した保持体２０の長手方向の他方の端部２０ｂと口金本体５１とを接着固定している。保持体２０と口金本体５１とを接着固定する際、第２差し込み部５３内に樹脂接着剤６２を塗布し、その後、保持体２０の長手方向の他方の端部２０ｂを第２差し込み部５３に挿入する。
【００８５】
なお、樹脂接着剤６１と同様に、樹脂接着剤６２は、第２差し込み部５３内だけではなく、第２差し込み部５３からはみ出すように形成してもよい。例えば、口金本体５１内を埋めるように樹脂接着剤６２を形成してもよい。
【００８６】
また、樹脂接着剤６３は、保持体２０と筐体３０とを接着固定している。樹脂接着剤６３は、例えば、筐体３０の長手方向に沿って断続的に形成される。なお、樹脂接着剤６１及び６２によって保持体２０が第１口金４０及び第２口金５０に強固に接着されていれば、樹脂接着剤６３は用いなくてもよい。また、樹脂接着剤６３は、断続的ではなく、保持体２０の長手方向の全部にわたって一直線状に形成してもよい。
【００８７】
樹脂接着剤６１、６２及び６３としては、例えばシリコーン樹脂を用いることができる。シリコーン樹脂は、所定の位置に塗布して硬化することで２つの部材を接着固定することができる。また、樹脂接着剤６１及び６２と樹脂接着剤６３とは連続的に繋がっていてもよい。
【００８８】
［点灯回路］
点灯回路７０は、ＬＥＤモジュール１０のＬＥＤ１２を駆動させるための駆動回路である。本実施の形態における点灯回路７０は、ＬＥＤモジュール１０におけるＬＥＤ１２の点灯状態を制御するためのＬＥＤ点灯回路であり、また、第１口金４０及びリード線４４を介して入力される直流電圧を所定の極性や電圧値に調整してＬＥＤモジュール１０に出力する。
【００８９】
図２、図４及び図５に示すように、点灯回路７０は、回路基板７１と、回路基板７１に実装された複数の回路素子７２とを備える。点灯回路７０（回路基板７１）は、第１口金４０の近傍において保持体２０に保持されている。
【００９０】
回路基板７１は、実装された複数の回路素子７２を互いに電気的に接続するための所定の配線パターン（不図示）が形成されたプリント配線基板であり、例えばガラスエポキシ基板等を用いることができる。
【００９１】
回路素子７２は、ＬＥＤモジュール１０のＬＥＤ１２を点灯させるための電子部品であり、例えば入力された直流電力を全波整流するダイオードブリッジ回路（整流回路）、抵抗素子及びヒューズ素子等である。回路素子７２としては、その他必要に応じて、コンデンサ、コイル、ダイオード又はトランジスタ等を備えてもよい。
【００９２】
また、図２及び図５に示すように、点灯回路７０は、第１口金４０に設けられた一対の給電ピン４２から直流電力を受電する入力ソケット７３（入力部）と、ＬＥＤモジュール１０に対して直流電力を出力する出力ソケット７４（出力部）とを備える。
【００９３】
入力ソケット７３には、一方の端部が一対の給電ピン４２に接続されたリード線４４の他方の端部（コネクタ端子）が装着される。また、出力ソケット７４には、一方の端部がＬＥＤモジュール１０の接続端子１４に接続されたコネクタ線８０の他方の端部（コネクタ端子）が装着される。なお、入力ソケット７３及び出力ソケット７４は、回路基板７１に形成された配線パターンによって所定の回路素子７２と電気的に接続されている。
【００９４】
［コネクタ線］
コネクタ線８０は、隣接するＬＥＤモジュール１０同士を電気的及び物理的に接続したり、ＬＥＤモジュール１０と点灯回路７０とを電気的及び物理的に接続したりする。
【００９５】
図２及び図５に示すように、コネクタ線８０は、ＬＥＤモジュール１０の接続端子１４に装着される一対の装着部（コネクタ部）８１と、一対の装着部８１を電気的に接続する導電線であってＬＥＤモジュール１０に供給する電力を通すための電力供給線８２とを有する。
【００９６】
装着部８１は、電力供給線８２の両端部に設けられており、ＬＥＤモジュール１０の接続端子（ソケット）１４と嵌合するように構成された略矩形状の樹脂成形部と、当該樹脂成形部に設けられた導電部とからなる。また、電力供給線８２は、ハーネスと呼ばれる金属線が樹脂被膜されたリード線によって構成することができる。本実施の形態において、コネクタ線８０は直流電力を通すように構成されており、電力供給線８２は、高圧側給電線（プラス線）と低圧側給電線（マイナス線）とからなる。
【００９７】
本実施の形態において、筐体３０内には４つの長尺状のＬＥＤモジュール１０が配置されているので、図２に示すように、５つのコネクタ線８０を用いている。具体的には、第１口金４０側に配置されたＬＥＤモジュール１０の接続端子１４と点灯回路７０の出力ソケット７４とを接続する１つのコネクタ線８０と、隣り合うＬＥＤモジュール１０の接続端子１４同士を接続する３つのコネクタ線８０と、第２口金５０側に配置されたＬＥＤモジュール１０における第２口金５０側の接続端子１４に接続されたコネクタ線８０（リターンハーネス）とを用いている。なお、リターンハーネスは、コネクタ線８０の高圧側と低圧側とを繋いでループ状にしたものである。
【００９８】
このようにコネクタ線８０を接続することによって、コネクタ線８０を介して、点灯回路７０からＬＥＤモジュール１０へと直流電力が供給されるとともに、一方のＬＥＤモジュール１０から他方のＬＥＤモジュール１０へと電力が供給される。
【００９９】
［直管ＬＥＤランプの組み立て方法］
まず、保持体２０の一方の面に所定の個数のＬＥＤモジュール１０を例えば接着剤によって貼り付けて、ＬＥＤモジュール１０を保持体２０に保持させる。このとき、点灯回路７０も保持体２０に接着剤によって貼り付ける。また、このときにコネクタ線８０を取り付ける。
【０１００】
次に、ＬＥＤモジュール１０が保持された状態の保持体２０を筐体３０の一方の開口から筐体３０内に挿入して、保持体２０の両端部が筐体３０からはみ出す位置になるまで保持体２０をスライドさせる。なお、保持体２０と筐体３０とを樹脂接着剤６３で接着する場合は、保持体２０を筐体３０内に挿入する前に、保持体２０の他方の面に所定の間隔で樹脂接着剤６３を塗布しておけばよい。なお、その後、第１口金４０の給電ピン４２と点灯回路７０とをリード線４４で接続する。
【０１０１】
次に、第１口金４０の第１差し込み部４３内に樹脂接着剤６１を塗布するとともに、第２口金５０の第２差し込み部５３内に樹脂接着剤６２を塗布する。続けて、樹脂接着剤６１及び樹脂接着剤６２が硬化する前に、筐体３０からはみ出した保持体２０の一方の端部２０ａを第１差し込み部４３に差し込んむようにして第１口金４０を筐体３０の長手方向の一方の端部３０ａに装着する。同様に、筐体３０からはみ出した保持体２０の他方の端部２０ｂを第２差し込み部５３に差し込むようにして第２口金５０を筐体３０の長手方向の他方の端部３０ｂに装着する。
【０１０２】
このとき、保持体２０の一方の端部２０ａが第１差し込み部４３の底部に当接するまで第１口金４０を押し込むととともに、保持体２０の他方の端部２０ｂが第２差し込み部５３の底部に当接するまで第２口金５０を押し込む。つまり、筐体３０の両方の端部３０ａ及び３０ｂから中央部に向かう方向に力が加わるようにして第１口金４０及び第２口金５０を互いに押し付ける。その後、樹脂接着剤６１及び６２を硬化させる。
【０１０３】
なお、直管ＬＥＤランプ１の点灯時に保持体２０が熱膨張することを考慮すると、保持体２０の両端部の双方を口金の差し込み部の底部に当接させない方がよく、保持体２０の両端部のいずれか一方のみを当接させる方がよい。特に、保持体２０が樹脂製の場合には熱膨張係数が大きいので、保持体２０の両端部と口金の差し込み部の底部との間には隙間を設けておくとよい。
【０１０４】
［作用効果］
本実施の形態では、第１口金４０に第１差し込み部４３が設けられており、複数のＬＥＤモジュール１０が１枚の長尺板状の保持体２０に保持された状態で、筐体３０からはみ出した保持体２０の長手方向の端部が口金に接着されている。具体的には、保持体２０の長手方向の一方の端部２０ａが第１差し込み部４３において第１口金４０と樹脂接着剤６１により接着されている。
【０１０５】
これにより、第１口金４０に対するＬＥＤモジュール１０の位置決めを行うことができるので、製品ごとに配光特性がばらつくことを抑制できる。
【０１０６】
また、第１差し込み部４３は、筐体３０からはみ出した保持体２０の一方の端部２０ａの幅方向において当該一方の端部２０ａを挟むように形成された一対の平面４３ａを有する。
【０１０７】
これにより、筐体３０からはみ出した保持体２０の一方の端部２０ａの幅方向の動きを規制することができる。したがって、保持体２０に保持されたＬＥＤモジュール１０の位置決めを容易に行うことができる。
【０１０８】
また、第１差し込み部４３は、さらに、筐体３０からはみ出した保持体２０の一方の端部２０ａの板面垂直方向において当該一方の端部２０ａを挟むように形成された一対の平面４３ｂを有する。
【０１０９】
これにより、筐体３０からはみ出した保持体２０の一方の端部２０ａの板面垂直方向の動きも規制することができる。したがって、保持体２０に保持されたＬＥＤモジュール１０の位置決めを一層容易に行うことができる。
【０１１０】
また、本実施の形態では、第２口金５０にも差し込み部（第２差し込み部５３）が設けられており、筐体３０からはみ出した保持体２０の長手方向の他方の端部２０ｂが第２口金５０の第２差し込み部５３において第２口金５０と樹脂接着剤６２により接着されている。
【０１１１】
これにより、第１口金４０だけではなく第２口金５０に対するＬＥＤモジュール１０の位置決めを行うことができるので、製品ごとに配光特性がばらつくことを一層抑制できる。
【０１１２】
また、第１差し込み部４３と同様に、第２差し込み部５３は、筐体３０からはみ出した保持体２０の他方の端部２０ｂの幅方向において当該他方の端部２０ｂを挟むように形成された一対の平面５３ａを有する。
【０１１３】
これにより、筐体３０からはみ出した保持体２０の他方の端部２０ｂの幅方向の動きを規制することができる。したがって、保持体２０に保持されたＬＥＤモジュール１０の位置決めをさらに容易に行うことができる。
【０１１４】
また、第２差し込み部５３は、さらに、筐体３０からはみ出した保持体２０の他方の端部２０ｂの板面垂直方向において当該他方の端部２０ｂを挟むように形成された一対の平面５３ｂを有する。
【０１１５】
これにより、筐体３０からはみ出した保持体２０の他方の端部２０ｂの板面垂直方向の動きも規制することができる。したがって、保持体２０に保持されたＬＥＤモジュール１０の位置決めを一層容易に行うことができる。
【０１１６】
また、本実施の形態において、複数のＬＥＤモジュール１０は、樹脂接着剤によって保持体２０の一方の面に接着されることで保持されている。
【０１１７】
これにより、ＬＥＤモジュール１０を簡単に保持体２０に保持させることができる。
【０１１８】
また、本実施の形態において、保持体２０の他方の面は、樹脂接着剤６３によって筐体３０の内面に接着されている。
【０１１９】
これにより、保持体２０を筐体３０に固定することができるので、保持体２０に保持されたＬＥＤモジュール１０の位置を確実に固定することができる。したがって、製品ごとに配光特性がばらつくことを一層抑制できる。
【０１２０】
以上、本実施の形態に係る直管ＬＥＤランプ１によれば、簡単な構成で、製品ごとの配光特性のばらつきを容易に低減することができる。
【０１２１】
［照明装置］
次に、本発明の実施の形態に係る照明装置２について、図７を用いて説明する。図７は、本発明の実施の形態に係る照明装置２の外観斜視図である。
【０１２２】
本実施の形態における照明装置２は、ベースライト型の照明装置であり、図７に示すように、上述の直管ＬＥＤランプ１と、照明器具２００とを備える。照明装置２は、一例として、２本の直管ＬＥＤランプ１を備えている。
【０１２３】
照明器具２００は、直管ＬＥＤランプ１と電気的に接続され、かつ、直管ＬＥＤランプ１を保持する一対のソケット（受金）２１０と、ソケット２１０が取り付けられる器具本体２２０とを備える。
【０１２４】
器具本体２２０は、例えば、アルミ鋼板をプレス加工などすることによって成形することができる。また、その表面は、直管ＬＥＤランプ１から発せられた光を所定方向（例えば、下方）に反射させる反射面の機能を有する。
【０１２５】
照明器具２００は、例えば、天井などに固定具を介して装着される。なお、照明器具２００には、例えば、商用の交流電力を直流電力に変換する機能を有する電源回路などが内蔵されている。変換された直流電力は、ソケット２１０を介して直管ＬＥＤランプ１の給電用口金である第１口金４０の給電ピン４２に供給される。その他、照明器具２００には、直管ＬＥＤランプ１の点灯を制御するための回路などが内蔵されていてもよい、また、直管ＬＥＤランプ１を覆うように透光性のカバー部材が設けられていてもよい。
【０１２６】
以上のように、本実施の形態に係る照明装置２では、製品ごとに配光特性のばらつきの少ない直管ＬＥＤランプ１を用いているので、所望の配光特性を有する照明装置を実現できる。
【０１２７】
［その他］
以上、本発明に係る照明用光源及び照明装置について、上記実施の形態に基づいて説明したが、本発明は、上記の実施の形態に限定されるものではない。
【０１２８】
例えば、上記実施の形態において、ＬＥＤモジュール１０は基板１１上にＬＥＤチップを直接実装したＣＯＢ構造としたが、これに限らない。ＣＯＢ型のＬＥＤモジュール１０に代えて、ＳＭＤ（Ｓｕｒｆａｃｅ  Ｍｏｕｎｔ  Ｄｅｖｉｃｅ）構造のＬＥＤモジュールを用いても構わない。ＳＭＤ構造のＬＥＤモジュールは、樹脂製のパッケージ（容器）の凹部の中にＬＥＤチップ（発光素子）を実装して当該凹部内に封止部材（蛍光体含有樹脂）を封入したパッケージ型のＬＥＤ素子（ＳＭＤ型ＬＥＤ素子）を、基板に実装した構成のものである。
【０１２９】
また、上記実施の形態において、筐体３０内には４つのＬＥＤモジュール１０を配置したが、これに限らない。例えば、ＬＥＤモジュールは、１つであってもよく、２つや３つ、５つ以上であっても構わない。また、ＬＥＤモジュール１０の基板１１の長さや形状、又は、実装するＬＥＤ１２の個数等は、適宜変更することができる。
【０１３０】
また、上記実施の形態では、第１口金４０のみの片側から筐体３０内の全ＬＥＤ１２に給電を行う片側給電方式を採用したが、第１口金４０及び第２口金５０の両方から給電を行う両側給電方式としても構わない。
【０１３１】
また、上記実施の形態において、第１口金４０はＬ形口金としたが、Ｇ１３口金としても構わない。また、第１口金４０だけではなく、第２口金５０もＧ１３口金としてもよい。つまり、上記実施の形態のように、２つの口金のうち一方を１本ピン（１ピン）とし、他方を２本ピン（２ピン）とする１ピン−２ピンの口金構造としてもよいし、２つの口金をいずれも２本ピン（２ピン）とする２ピン−２ピンの口金構造としてもよい。
【０１３２】
また、上記実施の形態における直管ＬＥＤランプ１は、外部電源から直流電力を受電する方式であるが、電源回路（ＡＣ−ＤＣコンバータ回路）を内蔵することにより、外部電源から交流電力を受電する方式であってもよい。
【０１３３】
また、上記実施の形態において、ＬＥＤモジュール１０は、青色ＬＥＤチップと黄色蛍光体とによって白色光を放出するように構成したが、これに限られない。例えば、赤色蛍光体及び緑色蛍光体を含有する蛍光体含有樹脂を用いて、これと青色ＬＥＤチップと組み合わせることによりに白色光を放出するように構成してもよい。また、青色以外の色を発光するＬＥＤチップを用いてもよく、例えば、青色ＬＥＤチップが放出する青色光よりも短波長である紫外光を放出する紫外ＬＥＤチップを用いて、主に紫外光により励起されて青色光、赤色光及び緑色光を放出する青色蛍光体、緑色蛍光体及び赤色蛍光体によって白色光を放出するように構成してもよい。
【０１３４】
また、上記実施の形態において、発光素子としてＬＥＤを例示したが、半導体レーザ等の半導体発光素子、有機ＥＬ（Ｅｌｅｃｔｒｏ  Ｌｕｍｉｎｅｓｃｅｎｃｅ）又は無機ＥＬ等の発光素子、その他の固体発光素子を用いてもよい。
【０１３５】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１３６】
１  直管ＬＥＤランプ（照明用光源）
２  照明装置
１０  ＬＥＤモジュール（発光モジュール）
１１  基板
１２  ＬＥＤ
１３  封止部材
１４  接続端子
２０  保持体
２０ａ、２０ｂ、３０ａ、３０ｂ  端部
３０  筐体
４０、５０  口金
４１、５１  口金本体
４２  給電ピン
４３  第１差し込み部
４３ａ、４３ｂ、５３ａ、５３ｂ  平面
４４  リード線
５２  非給電ピン
５３  第２差し込み部
６１、６２、６３  樹脂接着剤
７０  点灯回路
７１  回路基板
７２  回路素子
７３  入力ソケット
７４  出力ソケット
８０  コネクタ線
８１  装着部
８２  電力供給線
２００  照明器具
２１０  ソケット
２２０  器具本体
【図１】
2015153726.tif 000003
【図２】
2015153726.tif 000004
【図３】
2015153726.tif 000005
【図４】
2015153726.tif 000006
【図５】
2015153726.tif 000007
【図６】
2015153726.tif 000008
【図７】
2015153726.tif 000009